(57)【要約】【課題】商品が取り出される際に仕切棒が外れてしまうことを防止すること。【解決手段】上面が商品を載置する棚板３４と、棚板３４の後端域に設けられ、仕切棒４０の後端部４１をいずれかの後端支持孔３５ａに進入させて支持する後端支持部３５と、棚板３４の前端域に設けられ、仕切棒４０の前端部４２をいずれかの前端支持孔３６ａに進入させて支持する前端支持部３６とを備え、少なくとも互いに隣接する仕切棒４０間に商品を前後方向に沿って整列させた状態で載置するショーケースの商品載置棚３０であって、前端支持部３６は、前端支持孔３６ａの縁部により構成され、仕切棒４０が後端支持部３５との接触部分を中心として上方に向けて揺動する場合に、仕切棒４０の一部に当接して仕切棒４０がそれ以上上方に向けて揺動することを規制する規制部３７を備えている。【選択図】図４
2017140106.tif 000002
【特許請求の範囲】
【請求項１】
上面が商品を載置するための商品載置面を構成する棚板と、
前後方向に沿って延在し、かつ前端部が屈曲された仕切棒と、
前記棚板の後端域に設けられ、かつ前記仕切棒の後端部を自身に形成された複数の後端支持孔のいずれかに進入させて該仕切棒の後端部を支持する後端支持部と、
前記棚板の前端域に設けられ、かつ前記仕切棒の前端部を自身に形成された複数の前端支持孔のいずれかに進入させて該仕切棒の前端部を支持する前端支持部と
を備え、少なくとも互いに隣接する前記仕切棒間に商品を前後方向に沿って整列させた状態で載置するショーケースの商品載置棚であって、
前記前端支持部は、前記前端支持孔の縁部により構成され、かつ前記仕切棒が前記後端支持部との接触部分を中心として上方に向けて揺動する場合に、該仕切棒の一部に当接して該仕切棒がそれ以上上方に向けて揺動することを規制する規制部を備えたことを特徴とするショーケースの商品載置棚。
【請求項２】
前記前端支持部は、任意の前記前端支持孔の前方側に形成された目印用孔を備えたことを特徴とする請求項１に記載のショーケースの商品載置棚。
【発明の詳細な説明】
【技術分野】
【０００１】
本発明は、ショーケースの商品載置棚に関し、より詳細には、収納対象となる商品を所望の温度状態に保持するショーケースに適用される商品載置棚に関するものである。
【背景技術】
【０００２】
従来、収納対象となる商品を所望の温度状態に保持するショーケースに適用される商品載置棚が特許文献１に提案されている。
【０００３】
この特許文献１に提案されているショーケースの商品載置棚では、上面が商品を載置する商品載置面を構成する棚板の上方域に、前後方向に沿って延在する仕切棒が所定間隔毎に左右に並ぶよう配設されている。そして、互いに隣り合う仕切棒間に商品が前後方向に沿って並ぶよう載置されている。
【先行技術文献】
【特許文献】
【０００４】
【特許文献１】特開２００３−２５０６７５号公報
【発明の概要】
【発明が解決しようとする課題】
【０００５】
ところで、上述した特許文献１に提案されているショーケースの商品載置棚のように、互いに隣り合う仕切棒間に商品が前後方向に沿って並ぶよう載置される商品載置棚においては、商品が取り出される際に、仕切棒が取り出される商品に当接されて外れてしまう虞れがあった。
【０００６】
本発明は、上記実情に鑑みて、商品が取り出される際に仕切棒が外れてしまうことを防止することができるショーケースの商品載置棚を提供することを目的とする。
【課題を解決するための手段】
【０００７】
上記目的を達成するために、本発明に係るショーケースの商品載置棚は、上面が商品を載置するための商品載置面を構成する棚板と、前後方向に沿って延在し、かつ前端部が屈曲された仕切棒と、前記棚板の後端域に設けられ、かつ前記仕切棒の後端部を自身に形成された複数の後端支持孔のいずれかに進入させて該仕切棒の後端部を支持する後端支持部と、前記棚板の前端域に設けられ、かつ前記仕切棒の前端部を自身に形成された複数の前端支持孔のいずれかに進入させて該仕切棒の前端部を支持する前端支持部とを備え、少なくとも互いに隣接する前記仕切棒間に商品を前後方向に沿って整列させた状態で載置するショーケースの商品載置棚であって、前記前端支持部は、前記前端支持孔の縁部により構成され、かつ前記仕切棒が前記後端支持部との接触部分を中心として上方に向けて揺動する場合に、該仕切棒の一部に当接して該仕切棒がそれ以上上方に向けて揺動することを規制する規制部を備えたことを特徴とする。
【０００８】
また本発明は、上記ショーケースの商品載置棚において、前記前端支持部は、任意の前記前端支持孔の前方側に形成された目印用孔を備えたことを特徴とする。
【発明の効果】
【０００９】
本発明によれば、前端支持孔の縁部により構成される規制部が、仕切棒が後端支持部との接触部分を中心として上方に向けて揺動する場合に、該仕切棒の一部に当接して該仕切棒がそれ以上上方に向けて揺動することを規制するので、互いに隣接する仕切棒間に載置された商品が利用者に取り出される際に、該商品と一時的に係止状態となった仕切棒が上方に向けて揺動しても規制部が当接してその揺動を規制することで、仕切棒が外れてしまうことを防止することができるという効果を奏する。
【図面の簡単な説明】
【００１０】
【図１】図１は、本発明の実施の形態である商品載置棚が適用されたショーケースの内部構造を模式的に示す断面側面図である。
【図２】図２は、図１に示したいずれか１つの商品載置棚を示す斜視図である。
【図３】図３は、図２に示した商品載置棚の要部を拡大し、一部の構成要素を分解して示す分解斜視図である。
【図４】図４は、図２及び図３に示した商品載置棚の前方側の断面側面図である。
【図５】図５は、図２及び図３に示した商品載置棚の後方側の断面側面図である。
【発明を実施するための形態】
【００１１】
以下に添付図面を参照して、本発明に係るショーケースの商品載置棚の好適な実施の形態について詳細に説明する。
【００１２】
図１は、本発明の実施の形態である商品載置棚が適用されたショーケースの内部構造を模式的に示す断面側面図である。ここで例示するショーケースは、ケース本体１０を備えている。
【００１３】
ケース本体１０は、前面に開口（以下、前面開口ともいう）１０ａが形成された断熱筐体であり、その内部には収納室１１が画成されているとともに、空気循環手段２０が設けられている。
【００１４】
収納室１１は、上記前面開口１０ａを臨む態様で画成された室であり、その内部には複数の商品載置棚３０が上下方向に沿って複数段並ぶよう設けられている。商品載置棚３０の説明については後述する。
【００１５】
空気循環手段２０は、空気通路２１と循環ファン２２とを備えて構成されている。空気通路２１は、吸込口２１１から吹出口２１２に至る空気の通路である。吸込口２１１は、収納室１１の内部の空気を吸い込むための開口であり、収納室１１の左右方向に沿って延設されている。この吸込口２１１は、収納室１１の下側前方縁部、すなわちケース本体１０の前面開口１０ａの近傍の下部に配設されている。
【００１６】
吹出口２１２は、収納室１１の内部に空気を吹き出すための開口である。この吹出口２１２は、収納室１１の左右方向に延設してあって、収納室１１の上側前方縁部、すなわちケース本体１０の前面開口１０ａの近傍の上部に配設されている。
【００１７】
このような空気通路２１は、収納室１１外であってその下方にある下方ダクト２１ａと、収納室１１外であってその背面側にある背面ダクト２１ｂと、収納室１１外であってその上方にある上方ダクト２１ｃとを互いに連通した態様で構成されている。
【００１８】
循環ファン２２は、空気を循環させるものであり、下方ダクト２１ａの所定部位に配設されている。本実施の形態においては、循環ファン２２は下方ダクト２１ａの所定部位に配設されているが、本発明では、循環ファン２２の配設位置は特に限定されるものではなく、後述する循環ファン２２の機能を発揮することができる個所であればどこに配設しても構わない。
【００１９】
このような空気循環手段２０においては、循環ファン２２が駆動することにより吸込口２１１を通じて収納室１１の内部にある空気（内部空気）を吸い込み、吸い込んだ空気が空気通路２１を通過する態様で吹出口２１２まで送出し、吹出口２１２を通じて送出した空気を収納室１１の内部に吹き出すことにより、収納室１１の内部と外部との間で空気を循環させるものである。
【００２０】
上記空気通路２１には、蒸発器２５が設けられている。蒸発器２５は、図示せぬ圧縮機、凝縮器及び膨張機構とともに冷媒を循環させる冷媒循環手段を構成する。ここに圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせるものである。
【００２１】
蒸発器２５は、循環ファン２２が駆動することにより空気通路２１の背面ダクト２１ｂを下方から上方に向けて通過する空気と、膨張機構で断熱膨張させた冷媒とを熱交換させるもの、より詳細には、冷媒を蒸発させることにより背面ダクト２１ｂを通過する空気を冷却するものである。この蒸発器２５で蒸発した冷媒は、再び圧縮機に戻り圧縮されることになる。
【００２２】
図２は、図１に示したいずれか１つの商品載置棚３０を示す斜視図であり、図３は、図２に示した商品載置棚３０の要部を拡大し、一部の構成要素を分解して示す分解斜視図である。
【００２３】
商品載置棚３０は、それぞれ収納室１１の後方側において左右一対となる態様で立設された図示せぬ棚柱に係止された左右一対のブラケット３１に、平板状の棚基部３２（図４及び図５参照）がレール部材３３を介して架け渡されるよう支持されることで構成されている。つまり、各商品載置棚３０は、ブラケット３１が棚柱に係止されることにより所定の高さレベルに配設されている。
【００２４】
棚基部３２は、例えば鋼板等を屈曲等して構成された平板状のものであり、下面には棚板ローラ支持部３２ａが設けられている。この棚板ローラ支持部３２ａには、図示せぬ棚板ローラが回転可能に支持されており、この棚板ローラが上記レール部材３３に転動可能に載置されている。このレール部材３３には、ブラケット３１に回転可能に支持されたブラケットローラ（図示せず）が棚板ローラとは異なる個所で回転可能に載置されている。これにより、棚基部３２は、棚板ローラ及びブラケットローラがレール部材３３を転動することで、ブラケット３１に対して前後方向に沿ってスライド可能なものである。
【００２５】
このような棚基部３２には、棚板３４が載置されるとともに後端支持部３５が設けられ、かつ前端支持部３６が取り付けられている。
【００２６】
棚板３４は、棚基部３２の平板状部分を覆うように載置された平板状部材であり、上面が商品を載置する商品載置面を構成している。
【００２７】
後端支持部３５は、棚基部３２の後端部が上方に屈曲されて形成されるものであり、棚板３４の後端域に設けられている。この後端支持部３５は、棚板３４よりも上方に向けて突出しており、図３に示すように、複数の後端支持孔３５ａが左右に並ぶよう設けられている。これら後端支持孔３５ａは、仕切棒４０の後端部４１を進入させるものである。ここで仕切棒４０は、金属製のロッド状のものであって、前端部４２が略Ｌ字状に屈曲されている。
【００２８】
そして、後端支持部３５においては、後端支持孔３５ａの下方部において左右方向に沿って所定間隔毎に後端目印用孔３５ｂが形成されている。より詳細に説明すると、後端目印用孔３５ｂは、左右のいずれか一方から例えば１０個毎の後端支持孔３５ａの下方に設けられている。
【００２９】
前端支持部３６は、例えば鋼板等を屈曲等して形成されたものであり、左右方向が長手方向となる長尺状のものである。この前端支持部３６は、図４に示すように、前端支持基部３６１と、前端支持上延部３６２と、前端支持傾斜上延部３６３と、前端支持傾斜下延部３６４とが一体的に形成されている。
【００３０】
前端支持基部３６１は、棚基部３２の前端部４２の下面に図示せぬ締結部材により締結される部分である。前端支持上延部３６２は、前端支持基部３６１の前端部４２より上方に向けて延在する部分である。かかる前端支持上延部３６２は、棚板３４の前端部４２に接しており、該棚板３４よりも上方に向けて突出している。これにより、前端支持部３６は、棚板３４の前方域に設けられている。
【００３１】
前端支持傾斜上延部３６３は、前端支持上延部３６２の上端部よりも前方に向かうに連れて漸次上方に向けて傾斜する態様で延在する部分である。前端支持傾斜下延部３６４は、前端支持傾斜上延部３６３の延在端部より前方に向かうに連れて漸次下方に傾斜する部分である。
【００３２】
このような前端支持部３６には、複数の前端支持孔３６ａ及び複数の前端目印用孔３６ｂが設けられている。前端支持孔３６ａは、後端支持孔３５ａと前後一対となる態様で、前端支持上延部３６２の上端部と前端支持傾斜上延部３６３の後端部とに跨るように形成されている。これら前端支持孔３６ａは、後端支持孔３５ａよりも下方側に形成されている。かかる前端支持孔３６ａは、仕切棒４０の前端部４２を進入させるものである。
【００３３】
前端目印用孔３６ｂは、後端目印用孔３５ｂが下方に形成された後端支持孔３５ａと前後一対となる前端支持孔３６ａの前方側となる前端支持傾斜上延部３６３の前端部にそれぞれ形成されている。
【００３４】
このような商品載置棚３０においては、例えば下方に後端目印用孔３５ｂが形成された後端支持孔３５ａに仕切棒４０の後端部４１を前方から進入させた後、当該後端支持孔３５ａと前後一対となる前端支持孔３６ａに仕切棒４０を撓ませた状態で該仕切棒４０の前端部４２を進入させることにより、仕切棒４０が棚板３４の上方域にて後端支持部３５と前端支持部３６とに跨るように設けられる。
【００３５】
そして、前端支持孔３６ａが後端支持孔３５ａよりも下方側に形成されているので、仕切棒４０は、前方に向かうに連れて漸次下方に傾斜するように設けられている。そのため、図５に示すように、後端支持孔３５ａの下側縁部３５ｃが仕切棒４０に接触して支持している。
【００３６】
ところで、前端支持部３６においては、前端支持傾斜上延部３６３に規制部３７が形成されている。この規制部３７は、前端支持孔３６ａの縁部、すなわち前方縁部により構成されるものであり、仕切棒４０が後端支持部３５と接触する部分３５ｃを中心として上方に向けて揺動する場合に、該仕切棒４０の前端部４２に当接して該仕切棒４０がそれ以上上方に向けて揺動することを規制するものである。
【００３７】
以上のような構成を有する本実施の形態であるショーケースの商品載置棚３０においては、仕切棒４０が棚板３４の上方域にて後端支持部３５と前端支持部３６とに跨るように設けられるので、互いに隣接する仕切棒４０間に商品を前後方向に沿って整列させた状態で棚板３４に載置させることができる。
【００３８】
そして、上記商品載置棚３０によれば、前端支持孔３６ａの縁部により構成される規制部３７が、仕切棒４０が後端支持部３５と接触する部分３５ｃを中心として上方に向けて揺動する場合に、該仕切棒４０の前端部４２に当接して該仕切棒４０がそれ以上上方に向けて揺動することを規制するので、互いに隣接する仕切棒４０間に載置された商品がケース本体１０の前面開口１０ａを通じて利用者に取り出される際に、該商品と一時的に係止状態となった仕切棒４０が上方に向けて揺動しても規制部３７が当接してその揺動を規制することで、仕切棒４０が外れてしまうことを防止することができる。
【００３９】
上記商品載置棚３０によれば、前端支持部３６の任意の前端支持孔３６ａの前方側に前端目印用孔３６ｂが形成されているので、ケース本体１０の前面開口１０ａを通じて仕切棒４０の取付作業を行う作業者に対して常に前端目印用孔３６ｂを露出させることができる。これにより、作業者に対して仕切棒４０の取付個所を容易に視認させることができ、結果的に取付作業の効率を向上させることができる。
【００４０】
以上、本発明の好適な実施の形態について説明したが、本発明においては、これに限定されるものではなく、種々の変更を行うことができる。
【００４１】
上述した実施の形態では、後端支持部３５が棚基部３２に設けられており、前端支持部３６が棚基部３２に取り付けられていたが、本発明においては、後端支持部及び前端支持部が商品載置棚を構成する要素のいずれに設けられていても構わない。
【符号の説明】
【００４２】
１０  ケース本体
１０ａ  前面開口
１１  収納室
３０  商品載置棚
３１  ブラケット
３２  棚基部
３３  レール部材
３４  棚板
３５  後端支持部
３５ａ  後端支持孔
３５ｂ  後端目印用孔
３６  前端支持部
３６ａ  前端支持孔
３６ｂ  前端目印用孔
３７  規制部
４０  仕切棒
【図１】
2017140106.tif 000003
【図２】
2017140106.tif 000004
【図３】
2017140106.tif 000005
【図４】
2017140106.tif 000006
【図５】
2017140106.tif 000007